(57)【要約】【課題】複数台のテレビカメラで同時に撮影された映像を視聴者が選択して視聴可能とすること。【解決手段】複数台のテレビカメラ２により同時に撮影された映像のそれぞれに識別データを付与し圧縮符合化した後、多重化することにより得られるデジタル放送信号を受信手段４１により受信し、チャンネル選択手段４２により上記デジタル放送信号に対応するテレビチャンネルが選択された場合には、更に視聴者の選択入力により上記識別データに基づいてディスプレイ４５に視聴者所望の映像を表示する。【選択図】図２
2009021695.tif 000002
【特許請求の範囲】
【請求項１】
複数台のテレビカメラにより同時に撮影された映像のそれぞれに識別データを付与し圧縮符合化した後、多重化することにより得られるデジタル放送信号を受信可能な受信手段と、
視聴者の選択入力に基づいて視聴者所望のテレビチャンネルを選択するチャンネル選択手段と、
上記チャンネル選択手段により選択されたテレビチャンネルを表示するディスプレイと、
上記チャンネル選択手段により上記デジタル放送信号に対応するテレビチャンネルが選択された場合には、更に視聴者の選択入力により上記識別データに基づいて上記ディスプレイに表示する映像を選択する映像選択手段と、を有すること
を特徴とするデジタル放送受信装置。
【請求項２】
複数台のテレビカメラにより同時に撮影された映像のそれぞれと、これら映像をスイッチャにより編集されて得られる編集映像とに識別データを付与し圧縮符合化した後、多重化することにより得られるデジタル放送信号を受信可能な受信手段と、
視聴者の選択入力に基づいて視聴者所望のテレビチャンネルを選択するチャンネル選択手段と、
上記チャンネル選択手段により選択されたテレビチャンネルを表示するディスプレイと、
上記チャンネル選択手段により上記デジタル放送信号に対応するテレビチャンネルが選択された場合には、更に視聴者の選択入力により上記識別データに基づいて上記ディスプレイに表示する映像を選択する映像選択手段と、を有すること
を特徴とするデジタル放送受信装置。
【請求項３】
更に、上記チャンネル選択手段により上記デジタル放送信号に対応するテレビチャンネルが選択された際に上記ディスプレイにサムネイル画像を表示するサムネイル表示手段を有し、
上記映像選択手段は、上記サムネイル画像を選択することにより上記ディスプレイに表示する映像を選択すること
を特徴とする請求項１あるいは２に記載のデジタル放送受信装置。
【請求項４】
ディスプレイを有する装置に接続されるとともに、録画したテレビ放送を再生してディスプレイに表示可能なデジタル放送録画装置であって、
複数台のテレビカメラにより同時に撮影された映像のそれぞれに識別データを付与し圧縮符合化した後、多重化することにより得られるデジタル放送信号を受信可能な受信手段と、
視聴者の選択入力に基づいて視聴者所望のテレビチャンネルを選択するチャンネル選択手段と、
上記チャンネル選択手段により上記デジタル放送信号に対応するテレビチャンネルが選択された場合には、このデジタル放送信号に含まれる全ての映像を録画可能な録画手段と、を有し、
更に、上記録画手段により録画されたテレビチャンネルを再生する際に、視聴者の選択入力により上記識別データに基づいて上記録画手段で録画された映像の中から上記ディスプレイに表示する映像を選択可能な録画映像選択手段と、
を有すること
を特徴とするデジタル放送録画装置。
【請求項５】
ディスプレイを有する装置に接続されるとともに、録画したテレビ放送を再生してディスプレイに表示可能なデジタル放送録画装置であって、
複数台のテレビカメラにより同時に撮影された映像のそれぞれと、これら映像をスイッチャにより編集されて得られる編集映像とに識別データを付与し圧縮符合化した後、多重化することにより得られるデジタル放送信号を受信可能な受信手段と、
視聴者の選択入力に基づいて視聴者所望のテレビチャンネルを選択するチャンネル選択手段と、
上記チャンネル選択手段により上記デジタル放送信号に対応するテレビチャンネルが選択された場合には、このデジタル放送信号に含まれる全ての映像を録画可能な録画手段と、を有し、
更に、上記録画手段により録画されたテレビチャンネルを再生する際に、視聴者の選択入力により上記識別データに基づいて上記録画手段で録画された映像の中から上記ディスプレイに表示する映像を選択可能な録画映像選択手段と、を有すること
を特徴とするデジタル放送録画装置。
【請求項６】
更に、上記録画手段により録画されたテレビチャンネルを再生する際に上記ディスプレイにサムネイル画像を表示するサムネイル表示手段を有し、
上記録画映像選択手段は、上記サムネイル画像を選択することにより上記ディスプレイに表示する映像を選択すること
を特徴とする請求項４あるいは５に記載のデジタル放送録画装置。
【請求項７】
複数台のテレビカメラにより同時に撮影された映像と、これら映像をスイッチャにより編集されて得られる編集映像と、をそれぞれ映像信号として取り込む複数映像入力手段と、
上記各テレビカメラより得られた映像信号と上記編集映像より得られた映像信号のそれぞれに識別データを付与する識別データ付与手段と、
上記識別データが付与された各映像信号を圧縮符合化する圧縮符号化手段と、
上記圧縮符号化された上記各映像信号を多重化する多重化手段と、
上記多重化手段により多重化することにより得られるデジタル放送信号を請求項１〜３いずれか１項に記載のデジタル放送受信装置あるいは請求項４〜６いずれか１項に記載のデジタル放送録画装置に向けて送信する送信手段と、を有すること
を特徴とする送信装置。
【請求項８】
請求項１〜３いずれか１項に記載のデジタル放送受信装置、あるいは請求項４〜６いずれか１項に記載のデジタル放送録画装置と、
請求項７に記載の送信装置と、からなること
を特徴とするデジタル放送システム。
【請求項９】
請求項１〜３いずれか１項に記載のデジタル放送受信装置あるいは請求項４〜６いずれか１項に記載のデジタル放送録画装置は、
電話回線あるいはインターネットなどからなる通信回線に接続するための通信部を有し、
上記映像選択手段あるいは上記録画映像選択手段は、
視聴者から選択入力があると、上記ディスプレイに表示する映像に対応する識別データを上記通信部に送り、
上記通信部は、
上記送られてきた識別データを上記通信回線を介して送信するとともに、
上記デジタル放送システムは、
上記通信部から送信された識別データを受信する受信部と、
上記受信部により受信した識別データの識別データ別受信回数を集計する集計部と、
上記集計部により集計された識別データごとの受信回数の集計結果を出力する集計結果出力部と、を有するサーバを備えること
を特徴とするデジタル放送システム。
【発明の詳細な説明】
【技術分野】
【０００１】
本発明は、複数台のテレビカメラにより同時に撮影された映像を視聴者が選択して視聴可能なデジタル放送に関する。  
【背景技術】
【０００２】
現状のテレビ放送においては、野球、クラシックコンサート及び歌謡コンサートなどの実況中継のため、会場に複数台のテレビカメラを設置し、それぞれのテレビカメラで撮影された映像を編集し視聴者に１つのテレビ番組として提供している（特許文献１参照）。
【０００３】
例えば、野球の生中継であれば、一塁側、三塁側、バックネット側などにテレビカメラを設置し、各テレビカメラで異なる場面を同時に撮影している。しかしながら、実際に視聴者に提供される映像は、各テレビカメラが撮影した映像全てではなく、スイッチャと呼ばれる編集機材により編集した映像が１のテレビチャンネルとして視聴者に提供されているに過ぎない。
【０００４】
これは、生中継に限ったものではなく、例えばドラマなどＶＴＲ映像のように一旦録画した映像を視聴者に提供する場合にも同様である。
【０００５】
【特許文献１】特開２００１−１４４７０７号公報
【発明の開示】
【発明が解決しようとする課題】
【０００６】
以上のように、従来においては、テレビ放送を提供する側の趣味嗜好においてテレビ放送は編集され視聴者に提供されており、編集によりカットされた映像は視聴者には提供されていなかった。更に、現代社会においては、個々人の趣味嗜好は多様化しており、テレビ放送を提供する側においても視聴者の趣味嗜好に合ったテレビ放送の提供が望まれている。
【０００７】
本発明は、上記事情に鑑みてなされたものであり、その目的は、複数台のテレビカメラで同時に撮影された映像を視聴者が選択して視聴可能なデジタル放送受信装置、デジタル放送録画装置、送信装置及びデジタル放送システムを提供することにある。
【課題を解決するための手段】
【０００８】
上記課題を解決するために、請求項１記載のデジタル放送受信装置は、複数台のテレビカメラにより同時に撮影された映像のそれぞれに識別データを付与し圧縮符合化した後、多重化することにより得られるデジタル放送信号を受信可能な受信手段と、視聴者の選択入力に基づいて視聴者所望のテレビチャンネルを選択するチャンネル選択手段と、上記チャンネル選択手段により選択されたテレビチャンネルを表示するディスプレイと、上記チャンネル選択手段により上記デジタル放送信号に対応するテレビチャンネルが選択された場合には、更に視聴者の選択入力により上記識別データに基づいて上記ディスプレイに表示する映像を選択する映像選択手段と、を有することを特徴とする。
【０００９】
また、請求項２記載のデジタル放送受信装置は、複数台のテレビカメラにより同時に撮影された映像のそれぞれと、これら映像をスイッチャにより編集されて得られる編集映像とに識別データを付与し圧縮符合化した後、多重化することにより得られるデジタル放送信号を受信可能な受信手段と、視聴者の選択入力に基づいて視聴者所望のテレビチャンネルを選択するチャンネル選択手段と、上記チャンネル選択手段により選択されたテレビチャンネルを表示するディスプレイと、上記チャンネル選択手段により上記デジタル放送信号に対応するテレビチャンネルが選択された場合には、更に視聴者の選択入力により上記識別データに基づいて上記ディスプレイに表示する映像を選択する映像選択手段と、を有することを特徴とする。
【００１０】
また、更に、上記チャンネル選択手段により上記デジタル放送信号に対応するテレビチャンネルが選択された際に上記ディスプレイにサムネイル画像を表示するサムネイル表示手段を有し、上記映像選択手段は、上記サムネイル画像を選択することにより上記ディスプレイに表示する映像を選択するように構成してもよい。
【００１１】
一方、請求項４記載のデジタル放送録画装置は、ディスプレイを有する装置に接続されるとともに、録画したテレビ放送を再生してディスプレイに表示可能なデジタル放送録画装置であって、複数台のテレビカメラにより同時に撮影された映像のそれぞれに識別データを付与し圧縮符合化した後、多重化することにより得られるデジタル放送信号を受信可能な受信手段と、視聴者の選択入力に基づいて視聴者所望のテレビチャンネルを選択するチャンネル選択手段と、上記チャンネル選択手段により上記デジタル放送信号に対応するテレビチャンネルが選択された場合には、このデジタル放送信号に含まれる全ての映像を録画可能な録画手段と、を有し、更に、上記録画手段により録画されたテレビチャンネルを再生する際に、視聴者の選択入力により上記識別データに基づいて上記録画手段で録画された映像の中から上記ディスプレイに表示する映像を選択可能な録画映像選択手段と、を有することを特徴とする。
【００１２】
また、請求項５記載のデジタル放送録画装置は、ディスプレイを有する装置に接続されるとともに、録画したテレビ放送を再生してディスプレイに表示可能なデジタル放送録画装置であって、複数台のテレビカメラにより同時に撮影された映像のそれぞれと、これら映像をスイッチャにより編集されて得られる編集映像とに識別データを付与し圧縮符合化した後、多重化することにより得られるデジタル放送信号を受信可能な受信手段と、視聴者の選択入力に基づいて視聴者所望のテレビチャンネルを選択するチャンネル選択手段と、上記チャンネル選択手段により上記デジタル放送信号に対応するテレビチャンネルが選択された場合には、このデジタル放送信号に含まれる全ての映像を録画可能な録画手段と、を有し、更に、上記録画手段により録画されたテレビチャンネルを再生する際に、視聴者の選択入力により上記識別データに基づいて上記録画手段で録画された映像の中から上記ディスプレイに表示する映像を選択可能な録画映像選択手段と、を有することを特徴とする。
【００１３】
また、更に、上記録画手段により録画されたテレビチャンネルを再生する際に上記ディスプレイにサムネイル画像を表示するサムネイル表示手段を有し、上記録画映像選択手段は、上記サムネイル画像を選択することにより上記ディスプレイに表示する映像を選択するようにしてもよい。
【００１４】
また、請求項７記載の送信装置は、複数台のテレビカメラにより同時に撮影された映像と、これら映像をスイッチャにより編集されて得られる編集映像と、をそれぞれ映像信号として取り込む複数映像入力手段と、上記各テレビカメラより得られた映像信号と上記編集映像より得られた映像信号のそれぞれに識別データを付与する識別データ付与手段と、上記識別データが付与された各映像信号を圧縮符合化する圧縮符号化手段と、上記圧縮符号化された上記各映像信号を多重化する多重化手段と、上記多重化手段により多重化することにより得られるデジタル放送信号を請求項１〜３いずれか１項に記載のデジタル放送受信装置あるいは請求項４〜６いずれか１項に記載のデジタル放送録画装置に向けて送信する送信手段と、を有することを特徴とする。
【００１５】
また、請求項８記載のデジタル放送システムは、請求項１〜３いずれか１項に記載のデジタル放送受信装置、あるいは請求項４〜６いずれか１項に記載のデジタル放送録画装置と、請求項７に記載の送信装置と、からなることを特徴とする。
【００１６】
また、請求項９記載のデジタル放送システムは、請求項１〜３いずれか１項に記載のデジタル放送受信装置あるいは請求項４〜６いずれか１項に記載のデジタル放送録画装置は、電話回線あるいはインターネットなどからなる通信回線に接続するための通信部を有し、上記映像選択手段あるいは上記録画映像選択手段は、視聴者から選択入力があると、上記ディスプレイに表示する映像に対応する識別データを上記通信部に送り、上記通信部は、上記送られてきた識別データを上記通信回線を介して送信するとともに、上記デジタル放送システムは、上記通信部から送信された識別データを受信する受信部と、上記受信部により受信した識別データの識別データ別受信回数を集計する集計部と、上記集計部により集計された識別データごとの受信回数の集計結果を出力する集計結果出力部と、を有するサーバを備えることを特徴とする。
【発明の効果】
【００１７】
本発明によれば、デジタル放送信号に対応するテレビチャンネルが選択された場合において、視聴者に対し、このテレビチャンネルに含まれる映像の中から所望の映像を選択可能とした。これにより、従来の編集されて提供されるテレビ放送に比べ、視聴者の趣味嗜好に応じたテレビ放送の視聴が可能となる。
【発明を実施するための最良の形態】
【００１８】
以下に、本発明を実施するための最良の形態について説明する。
【００１９】
図１は、本発明の一実施形態に係るデジタル放送受信装置を用いたデジタル放送システムの概略構成を示す模式図、図２は本発明の一実施形態に係るデジタル放送受信装置を用いたデジタル放送システムの概略構成を示すブロック図、図３は本発明の一実施形態に係るデジタル放送受信装置におけるディスプレイの表示を示す平面図、図４は本発明の一実施形態に係るデジタル放送受信装置の動作を説明するフローチャートである。また、本実施形態においては、野球の中継放送をする場合について説明するが、これに限定されるものではない。なお、図１及び２においては、４台のテレビカメラ２はテレビ局３に直接有線接続されるように図示されているが、これは図形作成上の便宜的なものであり、４台のテレビカメラ２がそれぞれテレビ局３と電気的に接続されていることを意味するものであり、下記する図５においても同様である。また、テレビカメラの台数もこれに限定されず、更に、テレビカメラで撮影した際に一緒に音声も収録される場合には、この音声と映像とをセットにして下記処理が施される。
【００２０】
図１に示すように、本発明のデジタル放送受信装置を適用したデジタル放送システム１は、４台のテレビカメラ２Ａ、２Ｂ、２Ｃ、２Ｄ（以下、総称するときは「テレビカメラ２」と称する）によりそれぞれ撮影された映像が、テレビ局３に送信され、次いでテレビ局３から各家庭４に送信されるように構成されている。このデジタル放送システム１においては、現状のデジタル放送システムと異なり、４台のテレビカメラ２により撮影された映像が全て各家庭に送信されるように構成されている。
【００２１】
具体的には、野球の試合が、テレビカメラ２Ａによりバックネット側から撮影され、テレビカメラ２Ｂにより１塁側から撮影され、テレビカメラ２Ｃにより２塁側から撮影され、テレビカメラ２Ｄにより３塁側からそれぞれ撮影される。そして、それぞれの映像は、図示しない中継車に無線送信され、この中継車からテレビ局３へと無線送信される。この点においては、既存のデジタル放送システムと同様である。
【００２２】
次いで、テレビ局３に送信された各映像は、図２に示すように、テレビ局内に設置された送信装置３０により受信された後、この受信した映像は放送電波を用いてデジタル放送信号として送信され、更に、このデジタル放送信号は各家庭４内のデジタル放送受信装置４０にて受信され、視聴者は受信した映像のなかから所望の映像を選択して視聴することが可能となる。
【００２３】
詳述すると、図２に示すように、送信装置３０は、複数映像入力手段３１、識別データ付与手段３２、圧縮符号化手段３３、多重化手段３４、送信手段３５からなる。
【００２４】
複数映像入力手段３１は、テレビカメラ２Ａ、２Ｂ、２Ｃ、２Ｄのそれぞれにより撮影された映像を映像信号として取り込む。一方、各テレビカメラ２により撮影された映像はスイッチャ５にも送信され、スイッチャ５により編集された後、編集された映像信号として複数映像入力手段３１に取り込まれる。スイッチャ５により編集された映像は、従来において各家庭にテレビ放送されていた映像である。
【００２５】
識別データ付与手段３２は、複数映像入力手段３１に取り込まれた映像それぞれに、識別データを付与する。この識別データには、その映像がいずれのテレビカメラ２Ａ、２Ｂ、２Ｃ、２Ｄにより撮影されたのかを識別するためのデータと、スイッチャ５により編集された映像を識別するためのデータとが含まれる。
【００２６】
圧縮符号化手段３３は、それぞれ識別データが付与された映像を圧縮符号化する。この圧縮符号化の方式としては、ＭＰＥＧ−２など既存の方式を使用する。
【００２７】
多重化手段３４は、圧縮符号化手段３３により圧縮符号化された信号をパケット化し、それぞれを時分割に合わせ込むよう機能する。
【００２８】
送信手段３５は、多重化手段３４により多重化されて得られるデジタル放送信号を１つのテレビチャンネルとして各家庭に向けて送信するよう機能する。すなわち、各家庭に送信されるデジタル放送信号は、１つのテレビチャンネルとして各家庭に送信されるとともに、このテレビチャンネルには、複数台のテレビカメラ２により撮影された映像と、スイッチャ５により編集された映像とが含まれている（以下、このテレビチャンネルを「選択権付テレビチャンネル」と称する）。
【００２９】
なお、ここでは図示していないが、多重化手段３４と送信手段３５との間に、限定受信手段を設けておけば、契約者だけを視聴対象とすることができる。この限定受信手段とは、特定のユーザに対してのみ視聴を可能とするためにスクランブルを掛ける機能を有するものである。この限定受信手段による限定受信処理は、各テレビカメラ２により撮影された映像とスイッチャ５により編集された映像のすべてに施してもよいが、各テレビカメラ２により撮影された映像のみに施すようにしてもよい。
【００３０】
一方、デジタル放送受信装置４０は、受信手段４１、チャンネル選択手段４２、サムネイル表示手段４３、映像選択手段４４、ディスプレイ４５からなる、テレビ受像機である。
【００３１】
受信手段４１は、送信手段３５により送信されるデジタル放送信号を受信するように機能する。なお、受信手段４１は、選択権付テレビチャンネルのみならず、既存のテレビチャンネル、すなわち、スイッチャにより編集された映像からなるテレビチャンネルも受信するよう機能する。
【００３２】
チャンネル選択手段４２は、受信手段４１により受信したテレビチャンネルから視聴者が所望のテレビチャンネルを選択できるように機能する。このチャンネル選択手段４２としては、既存のものと同様である。このテレビチャンネルの選択は、デジタル放送受信装置４０に設置された図示しないチャンネルボタンなどにより行ってもよいし、図示しないリモコンにより遠隔操作するようにしてもよい。
【００３３】
サムネイル表示手段４３は、チャンネル選択手段４２で視聴者が選択したテレビチャンネルが選択権付テレビチャンネルであった場合に、ディスプレイ４５にサムネイル画像を表示するように機能する。具体的には、図３に示すようにサムネイル画像４５Ａ、４５Ｂ、４５Ｃ、４５Ｄ（以下総称するときは「サムネイル画像４５０」と称する）をディスプレイ４５に表示する。各サムネイル画像４５０は、それぞれテレビカメラ２により撮影された映像に対応している。すなわち、テレビカメラ２Ａにより撮影された映像はサムネイル画像４５Ａに表示され、テレビカメラ２Ｂの映像はサムネイル画像４５Ｂに表示され、テレビカメラ２Ｃの映像はサムネイル画像４５Ｃに表示され、テレビカメラ２Ｄの映像はサムネイル画像４５Ｄに表示される。なお、スイッチャ５により編集された映像もこのサムネイル画像として表示してもよい。
【００３４】
また、本実施形態においては、チャンネル選択手段４２により視聴者が選択権付テレビチャンネルを選択した場合において、サムネイル画像４５０を表示するか否かを選択可能となっている。この選択方式としては、例えば、デジタル放送受信装置４０の設定において、予めサムネイル画像を表示するか否かを設定することにより行うようにする方式が考えられるがこれに限定されない。
【００３５】
映像選択手段４４は、視聴者が選択権付テレビチャンネルを選択した場合において、更に、このテレビチャンネルに含まれる映像を選択するよう機能する。すなわち、上記した通り、選択権付テレビチャンネルには各テレビカメラ２で撮影された映像と、スイッチャ５で編集された映像とが含まれることから、これら映像の中から、所望の映像を選択するよう機能する。この映像選択手段４４による選択方法としては、例えば、ディスプレイ４５に図３に示すサムネイル画像４５０が表示された状態で、図示しないリモコンを操作して選択されるようにすればよい。
【００３６】
ここでは、例えば、サムネイル画像４５Ｄを選択したければ、図３に示すサムネイル画像４５０が表示された状態で、図示しないリモコンにおいて、サムネイル画像４５Ｄに表示された「４」と同一のボタンを押せば選択されるように構成されているが、これに限定されるものではない。なお、スイッチャ５により撮影された映像を選択する場合には、サムネイル画像を同様に表示するのであれば、上記と同様の手法により選択すればよく、一方、サムネイル画像を表示しないのであれば、例えば、図示しないリモコンの所定のボタンを押せば選択されるようにするなどの手法が考えられる。
【００３７】
次に、図４を参照してデジタル放送受信装置を適用したデジタル放送システムの動作説明を行う。なお以下に説明する、送信装置３０及びデジタル放送受信装置４０におけるそれぞれの処理は、図示しない記憶手段に記憶されたプログラムにより行われる。
【００３８】
図４（ａ）はテレビ局側の送信装置の動作を説明するためのフローチャートであり、（ｂ）は各家庭におけるデジタル放送受信装置の動作を説明するためのフローチャートである。
【００３９】
まず、送信装置３０における動作説明を行う前に、その前段階として、野球場に設置された複数台のテレビカメラ２により野球の試合を撮影するとともに、それぞれのテレビカメラ２により撮影された映像をスイッチャ５に送り、スイッチャ５で編集して編集映像を得る。
【００４０】
そして、送信装置３０は、上記のようにして得られた各映像が映像信号として入力されるまで待機しており（Ｓ４００）、映像信号の入力があると（Ｓ４００のＹ）、複数映像入力手段３１によりその映像信号が取り込まれる。次いで、この取り込まれた映像信号のそれぞれに識別データを付与し（Ｓ４０１）、圧縮符号化（Ｓ４０２）、多重化（Ｓ４０３）した後、デジタル放送信号として各家庭に送信する（Ｓ４０４）。
【００４１】
一方、デジタル放送受信装置４０においては、電源を投入することにより図示しないアンテナを介して上記デジタル放送信号を受信し（Ｓ５００）、次に、視聴者が図示しないリモコンなどを操作することにより、選択権付テレビチャンネルを選局したか否かを調べる（Ｓ５０１）。視聴者が選択権付テレビチャンネルを選択した場合は（Ｓ５０１のＹ）、次いで、デジタル放送受信装置４０の設定において、サムネイル画像４５０を表示するよう設定されているか否かを調べ（Ｓ５０２）、サムネイル画像４５０を表示するように設定されている場合には（Ｓ５０２のＹ）、サムネイル画像４５０を表示し（Ｓ５０３）、サムネイル画像４５０を表示するように設定されていない場合には（Ｓ５０２のＮ）、サムネイル画像４５０はディスプレイ４５には表示しない。
【００４２】
更に、視聴者がサムネイル画像４５０を表示する場合においても、表示しない場合においても、所望の映像の選択をしたか否かが判断されるとともに（Ｓ５０４）、この選択があるまで待機し（Ｓ５０４のＮ）、選択があった場合には（Ｓ５０４のＹ）、選択された映像をディスプレイ４５に表示する（Ｓ５０５）。なお、サムネイル画像４５０を表示するように設定されない場合においては、例えば、図３の各サムネイル画像４５０の右上に表示された数字のみをディスプレイ４５に表示し、この数字をリモコンなどで選択すれば視聴者は所望の映像を選択できるようにすればよい。但し、これに限定されない。
【００４３】
以上のように、本発明のデジタル放送受信装置３０においては、テレビ局側において複数台のテレビカメラ２により撮影された映像やスイッチャ５により編集された映像を選択的に視聴できる。これにより、視聴者は、例えば、野球中継の場合には、テレビ局側の趣味嗜好により編集された映像を視聴するだけでなく、バックネット側から撮影された映像のみを視聴したり、ボールの動きに応じて映像を切り替えるなどして視聴者の趣味嗜好に応じたテレビチャンネルの視聴が可能となる。
【００４４】
次に、本発明のデジタル放送録画装置を利用したデジタル放送システムについて図５を参照して説明する。図５は、本発明の一実施形態に係るデジタル放送録画装置を用いたデジタル放送システムの概略構成を示す模式図である。
【００４５】
なお以下においては、上記説明したデジタル放送受信装置を利用したデジタル放送システムと同様の部分については説明を省略し、相違する部分のみ説明する。
【００４６】
まず、デジタル放送録画装置を適用したデジタル放送システムの概略構成について図５を参照して説明すると、テレビ局側の構成は上記説明したものと全く同一である。一方、デジタル放送録画装置６０は、受信手段６１、録画チャンネル選択手段６２、録画手段６３、再生手段６４、サムネイル表示手段６５、録画映像選択手段６６からなる、いわゆるビデオ装置である。これにディスプレイ４５が接続されて、視聴者が予め録画したテレビチャンネルであって、選択した映像が再生されディスプレイ４５上に映し出される。
【００４７】
受信手段６１は受信手段４１と同様であり、録画チャンネル選択手段６２も選択する目的が、チャンネル選択手段４２においては「視聴する」と言うものであるのに対し、「録画する」である点が異なるだけであり、その他の点はチャンネル選択手段４２と同様である。
【００４８】
録画手段６３は、録画チャンネル選択手段６２により選択されたテレビチャンネルを録画するように機能する。再生手段６４は、録画手段６３により録画されたテレビチャンネルを再生するように機能する。
【００４９】
サムネイル表示手段６５は、再生手段６４により再生を指示されたらサムネイル画像を表示するよう機能する点において、サムネイル表示手段４３と相違するが、その他の点においてはサムネイル表示手段４３と同様である。
【００５０】
録画映像選択手段６６も、映像選択手段４４と録画された映像を選択する点において相違するだけであり、その他の点においては同様である。
【００５１】
また、ここでは、デジタル放送録画装置６０に接続されるのはディスプレイ４５としているが、テレビ受像機であってもよい。
【００５２】
次いで、デジタル放送録画装置６０を適用したデジタル放送システムにおいては、上記説明したデジタル放送受信装置４０を適用したデジタル放送システムと、リアルタイムに提供されたテレビチャンネルに含まれる映像をディスプレイに映し出すか、録画されたテレビチャンネルに含まれる映像をディスプレイに映し出すかの点が相違するだけであるので、動作説明は省略するが、このデジタル放送録画装置６０においても、上記と同様の効果を有する。
【００５３】
次いで、図６の本発明のデジタル放送システムのブロック図を参照して本発明のデジタル放送システムについて説明するが、上記説明したと同様の構成については同一符号を付して詳細な説明は省略する。なお、以下においては、デジタル放送受信装置を使用したデジタル放送システムについて説明するが、デジタル放送受信装置をデジタル放送録画装置に変えた場合でも以下のデジタル放送システムは適用可能である。
【００５４】
図６に示すようにデジタル放送システム１００は、送信装置３０、デジタル放送受信装置４０及びサーバ７０とからなる。
【００５５】
送信装置３０は、上記説明した構成と同様であるが、ここでは、インターネット８０に接続可能に構成されており、サーバ７０とインターネット８０を介して通信可能に構成されている。
【００５６】
デジタル放送受信装置４０も、上記説明した構成と同様であるが、更に、インターネット８０に接続された通信部４６を有する点と、映像選択手段４４と通信部４６とが接続されており、映像選択手段４４が通信部４６に対し識別データを送る点が上記構成と相違する。詳細は下記する。
【００５７】
サーバ７０は、受信部７１、集計部７２及び集計結果出力部７３からなる。受信部７１は、デジタル放送受信装置４０とインターネット８０を介して識別データを受信可能に構成されている。集計部７２は、受信部７１が受信した識別データの識別データ別受信回数を集計するように構成されている。集計結果出力部７３は、集計部７２により集計された識別データごとの受信回数の集計結果を出力し、インターネット８０を介して送信装置３０に送信するように構成されている。
【００５８】
なお、図６においては、サーバ７０を送信装置３０と物理的に分離して示しているが、送信装置３０内にサーバ７０が備える構成及び機能を備えるように構成してもよい。
【００５９】
次に、デジタル放送システム１００における送信装置３０、デジタル放送受信装置４０及びサーバ７０それぞれの動作説明をする。
【００６０】
まず、送信装置３０に上記デジタル放送信号が生成され送信されるまでの処理は図４（ａ）に示す処理と同様である。
【００６１】
次いで、図４（ｂ）に示すように、デジタル放送受信装置４０が、このデジタル放送信号を受信（Ｓ５００）し、Ｓ５０１〜Ｓ５０４までの処理を行う点も上記同様である。但し、デジタル放送システム１００では、Ｓ５０４の処理において、選択があるまで待機し（Ｓ５０４のＮ）、選択があった場合には（Ｓ５０４のＹ）、選択された映像をディスプレイ４５に表示する（Ｓ５０５）とともに、ディスプレイ４５に表示された映像に対応する識別データを通信部４６に送信する。そして、通信部４６は、映像選択手段４４から送信された識別データをインターネット８０を介してサーバ７０に送信する。
【００６２】
一方、サーバ７０は、通信部４６から送信された識別データを受信部７１により受信し、この受信した識別データは集計部７２において、識別データごとに分類してその受信回数が集計され、識別データごとの受信回数の集計結果を集計閣下出力部７３が出力し、インターネット８０を介して送信装置３０に送信し、送信装置３０はこれを受信する。
【００６３】
サーバ７０に送信される識別データは、上記説明した通り、テレビカメラ２Ａ、２Ｂ、２Ｃ、２Ｄにより撮影された映像のそれぞれ、あるいはスイッチャ５により編集された映像を識別するためのデータであるから、この識別データごとの受信回数を集計し、その集計した結果をテレビ局側で参照すれば、どの映像が多く視聴されたかが分かる。
【００６４】
よって、この集計結果を利用すれば、テレビ局側において、より多く視聴される映像により映し出される広告に対しては、スポンサー料を高くすることができ、スポンサー料の収益率効果の向上が図れる。一方、スポンサーにとっても、より多く視聴される映像に対して広告を出せば、広告の時間あたりの露出率が高くなるので、広告効果の向上が見込める。
【００６５】
なお、上記においては、野球中継に本発明のデジタル放送受信装置あるいはデジタル放送録画装置を適用した場合について説明したが、これに限定されるものではない。例えば、クラッシクコンサート、歌謡コンサートなどの生中継及びＶＴＲ放送、ドラマやバラエティなどのＶＴＲ放送など複数台のテレビカメラを使用して撮影し放映する種々のテレビ放送に対し適用可能である。
【図面の簡単な説明】
【００６６】
【図１】本発明の一実施形態に係るデジタル放送受信装置を用いたデジタル放送システムの概略構成を示す模式図。
【図２】本発明の一実施形態に係るデジタル放送受信装置を用いたデジタル放送システムの概略構成を示すブロック図。
【図３】本発明の一実施形態に係るデジタル放送受信装置におけるディスプレイの表示を示す平面図。
【図４】本発明の一実施形態に係るデジタル放送受信装置の動作を説明するフローチャート。
【図５】本発明の一実施形態に係るデジタル放送録画装置を用いたデジタル放送システムの概略構成を示す模式図。
【図６】本発明の一実施形態に係るデジタル放送システムのブロック図。
【符号の説明】
【００６７】
１  デジタル放送システム
２、２Ａ、２Ｂ、２Ｃ、２Ｄ  テレビカメラ
３  テレビ局
３０  送信装置
３１  複数映像入力手段
３２  識別データ付与手段
３３  圧縮符号化手段
３４  多重化手段
３５  送信手段
４０  デジタル放送受信装置
４１  受信手段
４２  チャンネル選択手段
４３  サムネイル表示手段
４４  映像選択手段
４５  ディスプレイ
４５０、４５Ａ、４５Ｂ、４５Ｃ、４５Ｄ  サムネイル画像
４６  通信部
５  スイッチャ
６０  デジタル放送録画装置
６１  受信手段
６２  録画チャンネル選択手段
６３  録画手段
６４  再生手段
６５  サムネイル表示手段
６６  録画映像選択手段
７０  サーバ
７１  受信部
７２  集計部
７３  集計結果出力部
８０  インターネット
【図１】
2009021695.tif 000003
【図２】
2009021695.tif 000004
【図３】
2009021695.tif 000005
【図４】
2009021695.tif 000006
【図５】
2009021695.tif 000007
【図６】
2009021695.tif 000008